(57)【要約】【課題】  簡単な構造で容易に開口部の縦部材と引戸との間の隙間を無くすことのできる戸じゃくりの取付構造を提供する。【解決手段】  開口部１に既設の縦部材２の表面に開口側に上下方向を長手方向とする露出隙間Ｓを形成するように化粧部材３を取付け、前記露出隙間Ｓに開口側に凹部４０を有する断面ハット型をした戸じゃくり４の底面部４１を挿入して縦部材２に取付けた。【選択図】      図１
2005097985.tif 000002
【特許請求の範囲】
【請求項１】
開口部に既設の縦部材の表面に開口側に上下方向を長手方向とする露出隙間を形成するように化粧部材を取付け、前記露出隙間に開口側に凹部を有する断面ハット型をした戸じゃくりの底面部を挿入して縦部材に取付けて成ることを特徴とする戸じゃくりの取付構造。
【請求項２】
戸じゃくりの底面部の幅を露出隙間の幅よりも小さく形成して成ることを特徴とする請求項１記載の戸じゃくりの取付構造。
【請求項３】
戸じゃくりの底面部の背面にクッション材を設けて成ることを特徴とする請求項１又は２記載の戸じゃくりの取付構造。
【請求項４】
戸じゃくりの底面部の内底面にクッション材を設けて成ることを特徴とする請求項１又は２記載の戸じゃくりの取付構造。
【発明の詳細な説明】
【技術分野】
【０００１】
本発明は、引戸が配設される開口部に既設の縦部材に取付けられる戸じゃくりの取付構造に関するものである。
【背景技術】
【０００２】
従来より、建物の壁部に引戸がよく設けられている。引戸が配設される開口部は、開口縁に引戸枠を配設したり建物躯体の柱を側端縁に位置するようにして端縁部材が配置してある。
【０００３】
ところで、このような引戸にあっては、開口部が正確に矩形状をしていることが望ましいが、実際には歪んで平行四辺形状をしていることがよくあり、この場合、引戸を閉めて開口部を閉塞しようとしても、引戸の側端縁と開口部の端縁部材の縦部材との間に隙間が形成されてしまい、光が漏れたりして見苦しい。そこで、従来ではこのような場合には開口部が正確に矩形状となるように改装して縦部材を垂直に直したりしていたが、作業が膨大となって好ましくないものであった。
【特許文献１】特開２００３−８２９１７号公報
【発明の開示】
【発明が解決しようとする課題】
【０００４】
本発明はこのような点に鑑みてなされたものであり、その目的とするところは、簡単な構造で容易に開口部の縦部材と引戸との間の隙間を無くすことのできる戸じゃくりの取付構造を提供することを課題とするものである。
【課題を解決するための手段】
【０００５】
上記課題を解決するために請求項１の発明は、開口部１に既設の縦部材２の表面に開口側に上下方向を長手方向とする露出隙間Ｓを形成するように化粧部材３を取付け、前記露出隙間Ｓに開口側に凹部４０を有する断面ハット型をした戸じゃくり４の底面部４１を挿入して縦部材２に取付けて成ることを特徴とするものである。このような構成とすることで、簡単な構成で容易に開口部１の側端部と引戸５との間に形成される隙間６を隠すことが可能となるものである。
【０００６】
また、請求項２の発明は、請求項１の発明において、戸じゃくり４の底面部４１の幅を露出隙間Ｓの幅よりも小さく形成して成ることを特徴とするものである。このような構成とすることで、引戸５の側端部が来る位置に戸じゃくり４を容易に配置可能となる。
【０００７】
また、請求項３の発明は、請求項１及び２の発明において、戸じゃくり４の底面部４１の背面にクッション材を設けて成ることを特徴とするものである。このような構成とすることで、引戸５を勢い良く閉めて戸じゃくり４に衝突した際の衝撃を緩和することができる。
【０００８】
また、請求項４の発明は、請求項１及び２の発明において、戸じゃくり４の底面部４１の内底面にクッション材を設けて成ることを特徴とするものである。このような構成とすることで、このような構成とすることで、引戸５を勢い良く閉めて戸じゃくり４に衝突した際の衝撃を緩和することができる。
【発明の効果】
【０００９】
本発明にあっては、簡単な構成で容易に前記隙間を隠すことが可能となるものである。
【発明を実施するための最良の形態】
【００１０】
以下、本発明を添付図面に示す実施形態に基づいて説明する。
【００１１】
引戸は、建物の壁部Ｗに形成した開口部１に配設される（図３参照）。開口部１には、開口縁に引戸枠や建物躯体の柱等からなる端縁部材が配置されるように形成してあり、側端部の端縁部材が縦部材２となっている。
【００１２】
開口部１と引戸５は、正面視矩形状となるように形成してあり、引戸５を閉めた時に開口部１の縦部材２と引戸５の側端縁５１とが上下に亘って当接して開口部１が閉塞されるが、図３に示すように開口部１が正確に正面視矩形状となっておらず縦部材２が垂直に立設されていない場合には、引戸５を閉めた時に開口部１の縦部材２と引戸５の側端縁５１とが上下に亘って当接せずに隙間６が形成されてしまい、隙間６が見えたり更に隙間６から光が漏れたりして見苦しい。そこで本発明においては、引戸５を閉めた時に開口部１の縦部材２と引戸５の側端縁５１とが上下に亘って当接せずに隙間６が形成される場合でもこの隙間６が見えないように化粧部材３及び戸じゃくり４を設けるものである。
【００１３】
化粧部材３は、開口部１に既設されている引戸枠又は柱等の縦部材２に設けるもので、厚さ２ｍｍ程のシート状又は板状の部材である。縦部材２は断面略矩形状をしており、その外面に化粧部材３を覆うように設けるのであるが、縦部材２の開口側に面する部分には上下方向が長手方向となるように縦部材２が露出する露出隙間Ｓが形成されるように化粧部材３を設けるものである。この露出隙間Ｓには後述する戸じゃくり４が挿入される。
【００１４】
戸じゃくり４は、底面部４１及び両側の鍔部４２とで主体が構成される断面ハット型をしたものである。底面部４１及び鍔部４２は厚みが化粧部材と同じ２ｍｍ程であり、また、底面部４１と鍔部４２とに囲まれて開口側に凹む凹部４０の横幅は引戸５の厚みより長く形成してあり、この凹部４０内に引戸５の側端部５１が挿入される。また、底面部４１は横幅が前記露出隙間Ｓの横幅よりも短く形成してあり、底面部４１を露出隙間Ｓ内で左右移動可能に挿入して縦部材２に取付けるものである。このように、戸じゃくり４の底面部４１の横幅を露出隙間Ｓの横幅よりも短く形成して底面部４１が露出隙間Ｓ内で左右移動可能とすることで、引戸５の側端部５１が来る位置に凹部４０を容易に配置可能となる。またこの時、底面部４１と化粧部材３との間に隙間５２が形成されるが、この隙間５２は戸じゃくり４の鍔部４２によって覆い隠されて見えない。またなお、化粧部材３及び戸じゃくり４の縦部材２への取付けは、ビスや釘等の固着具や接着剤等を用いて行うもので、特に限定されない。
【００１５】
以上のように化粧部材３及び戸じゃくり４を開口部１の縦部材２に設けると、縦部材２が垂直（鉛直）方向から若干傾いている場合、引戸５を閉めた時に開口部１の縦部材２に設けた戸じゃくり４と引戸５の側端縁５１とが上下に亘って当接せずに戸じゃくり４の底面部４１の底面と引戸５の側端縁５１との間に隙間６が形成されてしまうが、戸じゃくり４の鍔部４２によって正面又は背面方向から前記隙間６が隠されることとなり、簡単な構成で容易に前記隙間６を隠すことが可能となるものである。
【００１６】
また、特に図示はしないが、戸じゃくり４の底面部４１の背面又は底面にクッション材を設けてもよい。クッション材は、両面テープ等の粘着剤で貼着するのがよいが、特に限定されない。このようにすることで、引戸５を勢い良く閉めて戸じゃくり４に衝突した際の衝撃を緩和することができる。
【図面の簡単な説明】
【００１７】
【図１】本発明の一実施形態の要部の分解断面図である。
【図２】同上の要部の断面図である。
【図３】開口部が歪んだ状態を示す正面図である。
【符号の説明】
【００１８】
１  開口部
２  縦部材
３  化粧部材
４  戸じゃくり
４０  凹部
４１  底面部
Ｓ  露出隙間
【図１】
2005097985.tif 000003
【図２】
2005097985.tif 000004
【図３】
2005097985.tif 000005